(57)【要約】【課題】ＲＦ−ＩＤ等の素子を内蔵する記録媒体に記録動作と素子へのデータ書き込みしようとすると素子が不良の場合に判別が難しいこと、用紙ジャム時、及び用紙終了時の正確な判定がしにくい為に、しばしば用紙の無駄使いを生じていた。【課題を解決するための手段】ＲＦ−ＩＤタグ内に有するユニークＩＤ（固有の識別子）を読み取りその結果を解析することによって記録媒体の搬送不良、用紙エンド、内部素子不良を正確に判別できる様にした。【選択図】　　図１
2004082348.tif 000002
【特許請求の範囲】
【請求項１】
記録媒体に画像を記録する記録手段と、前記記録媒体に設けられた素子と通信する通信手段と、
前記素子との通信結果により前記記録媒体の状態を判定する判定手段を有し、前記判定手段の判定結果に応じて記録動作を制御する制御手段を有することを
特徴とする記録装置。
【請求項２】
前記判定手段は、通信結果が正常である場合、
記録媒体有りと判定することを特徴とする請求項１に記載の記録装置。
【請求項３】
前記判定手段は、通信結果が異常である場合、
記録媒体なしと判定することを特徴とする請求項１に記載の記録装置。
【請求項４】
記録媒体を搬送する搬送手段と、
前記記録媒体に画像を記録する記録手段と、
前記記録媒体に設けられた素子と通信する通信手段と、
前記搬送手段により連続的に搬送される記録媒体に設けられた素子と所定間隔毎に通信を行ない、所定間隔毎に新たな素子との通信に移行したか否かを判別する判別手段を有することを特徴とする記録装置。
【請求項５】
前記判別手段による判別した結果、所定間隔後、新たな素子との通信に移行した場合、動作を継続する動作継続手段を有することを特徴とする請求項４に記載の記録装置。
【請求項６】
前記判別手段による判別した結果、所定間隔後、新たな素子との通信に移行しない場合、動作を中断し報知する報知手段を有することを特徴とする請求項４に記載の記録装置。
【請求項７】
前記判別手段による判別した結果、
所定間隔後新たな素子との通信に移行しない場合、
前記報知手段は前記搬送手段による搬送動作異常を報知することを特徴とする
請求項４に記載の記録装置。
【請求項８】
記録媒体を搬送する搬送手段と、
前記記録媒体に画像を記録する記録手段と、
前記記録媒体に内蔵された無線通信素子と通信する無線通信手段と、
前記搬送手段により連続的に搬送される前記記録媒体内の第１の無線通信素子と通信を行ない、
所定間隔後、前記第１の無線通信素子との通信が継続されているか、
又は第２の無線通信素子との通信に移行したか、
それとも無線通信素子との通信が途切れたかを判別する判別手段を有することを特徴とする記録装置。
【請求項９】
前記判別手段による判別結果、
前記第１の無線通信素子との通信が継続されている場合、
前記搬送手段による搬送動作異常を報知する報知手段を有することを特徴とする請求項８に記載の記録装置。
【請求項１０】
前記判別手段による判別結果、
前記第２の無線通信素子との通信に移行した場合、
動作を継続する動作継続手段を有することを特徴とする
請求項８に記載の記録装置。
【請求項１１】
前記判別手段による判別結果、
無線通信素子との通信が途切れた場合、
記録媒体の終了を報知する報知手段を有することを特徴とする
請求項８に記載の記録装置。
【請求項１２】
記録媒体を搬送する搬送手段と、前記記録媒体を検知する検知手段と、前記記録媒体に画像を記録する記録手段と、
前記記録媒体に内蔵された無線通信素子と通信する無線通信手段とを備え、
前記検知手段で記録媒体を検知した後、
前記無線通信手段により前記無線通信素子と通信することを特徴とする記録装置
【請求項１３】
前記検知手段で記録媒体を検知した後、
前記無線通信手段により前記無線通信素子と通信出来ない場合、
無線通信素子が異常と判定する判定手段を有することを特徴とする
請求項１２に記載の記録装置
【請求項１４】
前記検知手段で記録媒体を検知せず、且つ前記無線通信手段により前記無線通信素子と通信出来ない場合、
前記記録媒体が終了と判定し報知する報知手段を有することを特徴とする
請求項１２に記載の記録装置
【請求項１５】
前記検知手段で新たな記録媒体を検知せず、
且つ前記無線通信手段により新たな無線通信素子と通信出来ない場合、
前記搬送手段による搬送動作異常を報知する報知手段を有することを特徴とする請求項１２に記載の記録装置。
【請求項１６】
前記検知手段は前記無線通信手段と前記無線通信素子との通信可能範囲より搬送方向上流に配置されていることを特徴とする
請求項１２から１５に記載の記録装置。
【請求項１７】
前記無線通信素子とはＲＦ−ＩＤ（Ｒａｄｉｏ　Ｆｒｅｑｕｅｎｃｙ　Ｉｄｅｎｔｉｆｉｃａｔｉｏｎ）素子であることを特徴とする請求項１から１６に記載の記録装置。
【請求項１８】
前記記録媒体とは複数のラベルが仮付けされた長尺紙であることを特徴とする請求項１から１６に記載の記録装置。
【請求項１９】
前記記録媒体とは紙、又は樹脂、金属を含むカードであることを特徴とする請求項１から１６に記載の記録装置。
【発明の詳細な説明】
【０００１】
【発明の属する技術分野】
本発明は素子を有する記録媒体に対し、素子への情報の読み書き、記録媒体への記録を行なう記録装置に関するものである。
【０００２】
【背景の技術】
例えば非接触で情報を書き込み／読み出し可能である集積回路チップとアンテナを備えたＲＦ−ＩＤ素子が開発されているが、通常このＲＦ−ＩＤ素子は、カット紙、ラベル、タグ紙や、ＩＣカード等の記録媒体に内蔵されている。
【０００３】
ＲＦ−ＩＤライタ内蔵の記録装置として、これまでは熱転写方式や感熱方式の記録装置が使用されてきたが、記録ヘッドを記録媒体に押し付けて記録を行う方式である為に、記録媒体に内蔵しているＲＦ−ＩＤ素子が記録時に壊れてしまうと言う問題が有り、記録媒体と非接触で記録が出来るインクジェット記録装置が注目されている。
【０００４】
インクジェット記録装置は種々の方法により、インクの吐出液滴を形成し、これを用紙等の被記録媒体に付着させて、記録媒体とは非接触で印刷を行う。特に吐出液滴形成のためのエネルギーとして熱を利用するインクジェット記録装置は、複数の吐出口を高密度に配置することが容易であり、また、この高密度化により高解像度、高画質の画像が高速度に得られ、しかもカラー化も容易であるという優れた特徴を有している。
【０００５】
この種のインクジェット記録装置において、ラインヘッドを搭載したものは、固定されたヘッドの下部を記録媒体が搬送することにより記録を行なう記録手段を具備する。
【０００６】
このような記録装置では、通常記録媒体の搬送状態はセンサによって検出する。
【０００７】
記録媒体が台紙上に貼られた複数のラベルである場合、一般的には透過型フォトインタラプタなどを用い、ラベル部と台紙部との光の透過率の差を監視することによって記録媒体の状態を監視する。
【０００８】
また、記録媒体が長尺紙に一定間隔ごとにマークを付したタグ紙である場合、反射型フォトインタラプタなどを用い、タグ紙部とマーク部との光の反射率の差を監視することによって記録媒体の状態を監視する。
【０００９】
ラベル紙を例に記録媒体の監視を説明すると、ホストコンピュータなどにより設定されるラベル紙のサイズと記録時の搬送速度より、ラベル紙がセンサ上を通過する時間が求められる。
【００１０】
これに対し、記録動作時のラベル紙部の検知時間が同等である場合、ラベル紙は正常に搬送されていると判断される。
【００１１】
逆に、ラベル紙部の検知時間が大きく異なる場合、ラベル紙の搬送異常であると判断し、記録動作を即停止し、エラーを通知する。
【００１２】
同様に、ラベル紙とラベル紙との間の台紙部分であるギャップに関しても、ホストコンピュータなどにより設定されるギャップ幅のサイズと記録時の搬送速度より、ギャップ部がセンサ上を通過する時間を求められる。
【００１３】
これに対し、記録動作時のギャップ部（台紙部）の検知時間が同等である場合、ラベル紙は正常に搬送されていると判断される。
【００１４】
逆に、ギャップ部の検知時間が大きく異なる場合、ラベル紙の搬送異常であると判断し、記録動作を即停止し、エラーを通知する。
【００１５】
【発明が解決しようとしている課題】
しかしながら、上記のような方式で記録媒体の状態検出を行った場合、記録媒体の終端がセンサ上を通過する所謂、用紙無しの状態を、ギャップ部の検知時間が大きいと判断し、エラー（例えばラベルの剥がれ）となる為、記録媒体の終端を検知することが難しい。
【００１６】
従って、用紙無し時に搬送異常エラーで即停止してしまうことになり、記録ヘッド下で記録途中の記録媒体が無駄になってしまう。
【００１７】
このような問題を回避する為には、▲１▼前述したセンサとは別に、用紙無しを検知する為の専用のセンサを設ける。▲２▼記録媒体の搬送状態をエンコーダーなどで直接監視する。▲３▼ギャップ部の検知によるエラーを出さず用紙なしと判断する。又はエラー発生までのマージンを大きくとる。等の方法がある。
【００１８】
▲１▼▲２▼に関してはセンサ等部品をさらに必要とする為製造コストのアップという問題がある。▲３▼に関しては、搬送異常発生時にエラー検知を行わない。
【００１９】
又はエラー検出が大きく遅れることになり、記録媒体はもちろんのこと、記録装置に対してもダメージをあたえかねない。
【００２０】
【課題を解決する為の手段】
本発明は、記録媒体に設けられた素子に対して情報の読み出し及び書き込みを行なうライタを搭載し、記録媒体に対し画像の記録を行なう記録装置において、記録媒体に設けられた素子との通信結果により、記録媒体の状態を判断する判断手段を有し、判断手段の判断結果に応じて記録動作を制御することを特徴とする。
【００２１】
【作用】
本発明は、記録装置において、記録媒体の状態、特に用紙無しと用紙の搬送異常を、記録媒体に設けられた素子を利用して正確に判断することにより、記録媒体の無駄を無くすことができる。
【００２２】
【実施例】
以下、図面を参照して本発明の記録装置に係わる実施例について詳細に説明する。
【００２３】
（第１の実施例）
本発明を実施したＲＦ−ＩＤリーダ／ライタ内蔵記録装置（１００）の正面図と上断面図を図１に示す。
【００２４】
記録装置（１００）には画像を形成する記録部（１０５）、記録媒体（１０３）を記録部に給紙するロール紙ホルダ（１０６）、記録媒体に装着されたＲＦ−ＩＤタグ（１０１）へのデータの書き込み／読み込みを行なうＲＦ−ＩＤリーダ／ライタ、通信アンテナ（１１２）等を備える。
【００２５】
記録部（１０５）では、先端検知センサ（１０４）にて検出したラベル（１０２）の先端位置を基準に、各記録ヘッド（１０８から１１１）から記録データに応じて例えばブラック、シアン、マジェンタ、イエローのインクを選択的に吐出させ、カラー記録する。
【００２６】
ＲＦ−ＩＤタグが設けられた記録媒体の模式図を図２に示す。
【００２７】
記録媒体（１０３）は台紙（２０１）と台紙上に貼られた複数のラベル（１０２）からなり、各ラベルにはＲＦ−ＩＤタグ（１０１）が設けられている。
【００２８】
ＲＦ−ＩＤタグ（１０１）はアンテナ部（２０３）と無線通信機能をもつ素子（２０２）からなり、記録装置内のＲＦ−ＩＤリーダ／ライタから通信アンテナ（１１２）を介してデータの読み込み、書き込みが行なわれる。
【００２９】
また、各ＲＦ−ＩＤ素子（２０２）はユニークＩＤと呼ぶ固有のＩＤを持っており、ＲＦ−ＩＤリーダ／ライタからの情報の読み込み／書き込みは指定したユニークＩＤのＲＦ−ＩＤ素子に対し行われる。
【００３０】
本発明を実施したＲＦ−ＩＤライタ内蔵の記録装置（１００）にホストコンピュータを接続した構成図を図３に示す。
【００３１】
記録装置（１００）と、ホストコンピュータ（３００）がプリンタケーブル（３０１）で接続されている。
【００３２】
記録装置（１００）の給紙部であるロール紙ホルダ（１０６）に記録媒体（１０３）がセットされている。
【００３３】
記録媒体（１０３）上の各ラベル（１０２）への記録データ、及びラベル（１０２）に内蔵するＲＦ−ＩＤタグ（１０１）への書き込みデータはホストコンピュータ（３００）から記録装置（１００）に転送される。
【００３４】
記録装置（１００）上には動作状態や警報を表示するディスプレイや電源のＯＮ／ＯＦＦ、用紙の設定等、複数の操作キーをもつオペレーションパネル（３０２）を備えている。
【００３５】
本発明を実施した記録装置（１００）の電気的なブロック図を図４に示す。
【００３６】
ホストコンピュータ（ホストＰＣ）（３００）は、記録媒体（１０３）上のラベル（１０２）に記録する記録データ、及び内蔵するＲＦ−ＩＤタグ（１０１）への書き込みデータを記録装置（１００）のインタフェースコントローラ（４０１）に転送して記録開始を指示する。
【００３７】
ＣＰＵ（中央演算処理装置：Ｃｅｎｔｒａｌ　Ｐｒｏｃｅｓｓｉｎｇ　Ｕｎｉｔ）（４００）は記録データの受信、記録動作、ＲＦ−ＩＤ（Ｒａｄｉｏ　Ｆｒｅｑｕｅｎｃｙ　Ｉｄｅｎｔｉｆｉｃａｔｉｏｎ）リーダ／ライタ（４０６）の制御、そして記録媒体（１０３）のハンドリング等、全般の制御を掌る演算処理装置である。
【００３８】
ＣＰＵ（４００）はホストＰＣ（３００）から受信したコマンドを解析後、記録データの各色成分のイメージデータをイメージメモリ（４０３）にビットマップ展開して描画する。
【００３９】
記録前の動作処理としてＣＰＵ（４００）は入出力ポート（４０７）、駆動部（４０８）を介してキャッピングモータ（４１３）と記録ヘッドＵ／Ｄモータ（４１２）を駆動し、記録ヘッド（１０８〜１１１）を図示しないキャッピング機構によるキャッピング位置（待機位置）から記録位置に移動させる。
【００４０】
さらに、駆動部（４０８）を介してＲＦ−ＩＤタグ内蔵の記録媒体（１０３）を繰り出す給紙モータ（４１５）、及び記録装置本体の搬送部（１０７）を駆動する搬送モータ（４１６）等を駆動し記録媒体（１０３）を記録部に搬送する。
【００４１】
定速度で搬送される記録媒体（１０３）への記録タイミングを決定するために、先端検知センサ（１０４）で各ラベル（１０２）の先端、又は後端位置を検出する。
【００４２】
その後、搬送モータ（４１６）による用紙搬送に同期して、ＣＰＵ（４００）はイメージメモリ（４０３）から対応する色のイメージデータを順次読み出し、記録ヘッド制御回路（４０９）を介して、記録ヘッド（１０８〜１１１）に順次データ転送し、各記録ヘッドが持つ多数のノズルから選択的にインクを吐出させ、カラー記録する。
【００４３】
本実施例の記録装置（１００）の各記録ヘッド（１０８〜１１１）はラインヘッドであり、記録動作中用紙（記録媒体）（１０３）は予め決められた一定速度、例えば１００［ｍｍ／ｓｅｃ］で搬送される。
【００４４】
上記記録動作と並行して、ＣＰＵ（４００）は記録媒体（１０３）に内蔵するＲＦ−ＩＤタグ（１０１）上の素子（２０２）にデータの書き込み制御する。
【００４５】
ＣＰＵ（４００）の制御下で、ＲＦ−ＩＤリーダ／ライタ（４０６）がアンテナ（１１２）を介してデータの書き込みを行い、且つＲＦ−ＩＤタグ（１０１）から送信されたデータの読み込みを行なう。
【００４６】
ＣＰＵ（４００）とＲＦ−ＩＤリーダ／ライタ（４０６）とは例えば非同期のシリアルインタフェースやバス形式の入出力（Ｉ／Ｏ）にて接続される。
【００４７】
ＣＰＵ（４００）の動作はプログラムＲＯＭ（４０２）に記憶された処理プログラムに基づき、実行される。
【００４８】
プログラムＲＯＭ（４０２）には（後述の）図８、図１４に示す制御フローに対応した処理プログラム及び参照用テーブル等が記憶されている。
【００４９】
ＣＰＵ（４００）は各処理を実行する際、作業用のメモリとしてワークＲＡＭ（４０４）を使用する。
【００５０】
ＥＥＰＲＯＭ（４０５）は不揮発性のメモリで、記録ヘッド相互の微小記録位置調整等、装置固有のパラメータを記憶する。
【００５１】
インク満タン検知センサ（４１０）は図示しないサブタンク内に備えたセンサで、インクの色毎に独立して検知する。
【００５２】
サブタンクはインクを補給するインクカートリッジからインクを受け、一旦貯蔵するバッファの役目をし、ポンプモータ（４１４）の動作によるインク補給時に、もしサブタンク内の満タン検知センサ９０７が一定時間内に検知しなければ、インクカートリッジが”空”と判断し、該当する色のインクカートリッジ交換を促す。
【００５３】
ＣＰＵ（４００）は色毎にインク満タン検知センサ（４１０）の出力をＡＤコンバータ（４１１）で読み取ることが出来る。
【００５４】
図５〜７は本実施例における用紙検知とＲＦ−ＩＤ情報の書き込み処理を示す模式図である。
【００５５】
ＣＰＵ（４００）の制御により、ＲＦ−ＩＤリーダ／ライタ（４０６）はラベル（１０２）内のＲＦ−ＩＤタグ（１０１）からユニークＩＤ（各ＲＦ−ＩＤタグ固有の識別子）の読み取りを周期的に行なう。
【００５６】
読み取り周期はラベル（１０２）１枚が通信アンテナ（１１２）との通信可能エリアを通過する時間よりも短い時間で行なわれ、ユニークＩＤの読み取り結果により、ラベル紙の有無、或いは搬送異常の検知が行われる。
【００５７】
図５に示すように、ラベル（１０２）が正常に搬送されている場合、通信アンテナ（１１２）とＲＦ−ＩＤタグ（１０１）が通信可能状態となった時に、ユニークＩＤを読み取ることができ、前回読み取ったユニークＩＤと比較して異なっていたなら、新たなラベル（１０２）が到達したと判断し、該当のＲＦ−ＩＤタグ（１０１）に対しデータの書き込みを行なう。
【００５８】
その後、記録部にてラベル（１０２）に画像を記録する。
【００５９】
図６のようなロール紙に巻かれた記録媒体（１０３）が全て給紙され、最終ラベル（１０２）が既に通過済み（用紙無し）の場合、ユニークＩＤの読み取りを複数回行なってもＲＦ−ＩＤタグ（１０１）は確認されない。
【００６０】
このような場合、用紙無しと判断し、最後にユニークＩＤを検知したラベル（１０２）まで記録を行った後、記録動作を中断し、用紙無しエラーを通知する。
【００６１】
図７のように記録媒体（１０３）の搬送異常が発生した場合、通信アンテナ（１１２）との通信可能エリア内のラベル（１０２）は移動しなくなり、ユニークＩＤの読み取り結果は同一内容が繰り返される。
【００６２】
このような場合、用紙搬送異常と判断し、即記録動作を停止し、用紙ＪＡＭエラーを通知する。
【００６３】
ＲＦ−ＩＤタグのユニークＩＤ読み取り〜書き込み処理のフローチャートを図８に示す。
【００６４】
（Ｓ０８００）にて周期的にＲＦ−ＩＤ素子のユニークＩＤの確認が行われ、結果、（Ｓ０８０１）により所定回数Ｎ回連続して確認できない場合、用紙無しエラーと判断し（Ｓ０８０６）報知して終了する。
【００６５】
また、（Ｓ０８００）にてユニークＩＤの確認がなされ、（Ｓ０８０２）により、前回確認したユニークＩＤと比較し、異なる場合、用紙有りと判断し、該当のＲＦ−ＩＤ素子に対しデータの書き込みを行なう（Ｓ０８０４）。
【００６６】
また、Ｓ０８０２にて前回確認したユニークＩＤと同じで、且つ所定回数同じユニークＩＤが確認されたならば、用紙ＪＡＭと判断（Ｓ０８０５）、報知して終了する。
【００６７】
（第２の実施例）
以下に説明する第２実施例のように、ＲＦ−ＩＤタグとの通信結果と搬送部上のセンサ出力により用紙の状態を判断するものでも良い。
【００６８】
第２実施例によるＲＦ−ＩＤリーダ／ライタ内蔵の記録装置（１００）の正面図と上断面図を図９に示す。
【００６９】
基本的な構成は第１実施例と類似しているので異なる点について説明する。
【００７０】
本実施例では記録媒体１０３上のラベル１０２の先端（或いは後端）を検知する先端検知センサ（１０４）が通信用アンテナ（１１２）に対して記録媒体搬送方向上流側に配置される。
【００７１】
本実施例における電気的なブロック図は第１実施例にて説明した図４と同じ構成で可能であるが、後述するようにプログラムＲＯＭ（４０２）に記憶する処理プログラム、及び参照用テーブルが異なる。
【００７２】
図１０〜１３は本実施例における用紙検知とＲＦ−ＩＤ情報の書き込み処理を示す模式図である。
【００７３】
先端検知センサ（１０４）にて検知したラベル（１０２）に内蔵されたＲＦ−ＩＤタグ（１０１）に対し、ＲＦ−ＩＤリーダ／ライタはＣＰＵ（４００）の制御下で、通信アンテナ（１１２）を介してユニークＩＤの読み取りを行なう。
【００７４】
また、先端検知センサ（１０４）にてラベルを未検知であってもＲＦ−ＩＤタグの読み取りタイミングとなった場合にはユニークＩＤの読み取りを実行する。
【００７５】
ユニークＩＤ読み取りタイミングは、先端検知センサ（１０４）にてラベル後端の通過を検知した時点、または、前回ＲＦ−ＩＤ素子に対しユニークＩＤの読み取りを行ってからラベル１枚分通過したと見なすタイミングであり、先端検知センサ（１０４）の検知状態とユニークＩＤの読み取り結果により、ラベルの有無、搬送異常、又はＲＦ−ＩＤタグとの通信エラー検知が行なわれる。
【００７６】
図１０のようにラベル（１０２）が正常に搬送されている場合、先端検知センサ（１０４）にてラベル（１０２）の検知が行われ、該ラベル紙内のＲＦ−ＩＤタグ（１０１）に対し、ＲＦ−ＩＤリーダ／ライタは通信アンテナ（１１２）を介してユニークＩＤの読み取りを行い、正常に読み取ったユニークＩＤのＲＦ−ＩＤタグ（１０１）に対しデータの書き込みを行なう。
【００７７】
その後ラベル紙（１０２）上に画像を記録する。
【００７８】
一方、図１１の如くロール紙に巻かれた記録媒体（１０３）が全て給紙され、最終ラベル（１０２）が既に通過済み（用紙無し）の場合、先端検知センサ（１０４）ではラベルを検知できない用紙なし状態が続き、前回のＲＦ−ＩＤタグ（１０１）の読み取りタイミングからラベル１枚分搬送した後、新たなユニークＩＤの読み取りを実行しても、ＲＦ−ＩＤタグは確認されない。
【００７９】
この場合、用紙無しと判断し、最後にユニークＩＤを検知したラベル（１０２）まで記録を行った後、動作を中断し、用紙無しエラーを通知する。
【００８０】
次に、図１２ではラベル（１０２）が正常に搬送されてはいるが、ＲＦ−ＩＤタグ（１０１）内部素子の故障等が発生した場合を示す。
【００８１】
まず、先端検知センサ（１０４）にてラベル（１０２）が検知され、該ラベル紙内のＲＦ−ＩＤタグ（１０１）に対し、ＲＦ−ＩＤリーダ／ライタ（４０６）はユニークＩＤの読み取りを行なうが、ユニークＩＤは読み取れない。
【００８２】
このような場合、ＲＦ−ＩＤタグとの通信異常と判定し、最後にユニークＩＤを検知したラベルまで記録を行った後、動作中断し、通信エラーを通知する。
【００８３】
図１３のように記録媒体（１０３）の搬送異常が発生している場合、先端検知センサ（１０４）付近のラベル（１０２）は移動出来なくなり、先端検知センサ（１０４）の出力が変化しないまま、前回のＲＦ−ＩＤタグ（１０１）の読み取りタイミングからラベル１枚分搬送した時間が経過し、新たな読み取りを行なうと前回読み取ったＲＦ−ＩＤタグ（１０１）と同じユニークＩＤが確認される。
【００８４】
このような場合、記録媒体（１０３）の搬送異常と判断し、即記録動作を停止し、用紙ＪＡＭエラーを通知する。
【００８５】
本実施例における用紙検知とＲＦ−ＩＤタグへの書き込み処理のフローチャートを図１４に示す。
【００８６】
先端検知センサ（１０４）にてラベル（１０２）の後端を検知すると（Ｓ１４００）、ＲＦ−ＩＤタグ（１０１）の確認としてユニークＩＤの読み取りを行い（Ｓ１４０１）、結果、ユニークＩＤの読み取りができたならば（Ｓ１４０１−Ｙｅｓ）、用紙有りと判断し、確認したユニークＩＤのＲＦ−ＩＤタグに対しデータの書き込みを行なう（Ｓ１４０２）。
【００８７】
また、ユニークＩＤの読み取りができず、ＲＦ−ＩＤ素子を確認できないならば（Ｓ１４０１−Ｎｏ）、ＲＦ−ＩＤエラーと判定、報知する（Ｓ１４０３）。
【００８８】
Ｓ１４００で先端検知センサ（１０４）にてラベルの後端を検知していない場合であっても（Ｓ１４００−Ｎｏ）、前回のＲＦ−ＩＤタグの読み取りタイミングからラベル１枚分搬送した時間が経過し、新たなＲＦ−ＩＤタグの読み取りタイミングとなれば（Ｓ１４０４−Ｙｅｓ）、ＲＦ−ＩＤタグの確認としてユニークＩＤの読み取りを行い、結果、ユニークＩＤの読み取りができたならば（Ｓ１４０５−Ｙｅｓ）、用紙ＪＡＭエラーと判断する（Ｓ１４０６）。
【００８９】
また、ユニークＩＤの読み取りができず、ＲＦ−ＩＤ素子を確認できないならば（Ｓ１４０５−Ｎｏ）、用紙無しエラーと判断する（Ｓ１４０７）。
【００９０】
以上説明したように、本発明の記録装置によれば、記録媒体の状態、特に用紙無し（用紙ＥＮＤ）と用紙の搬送異常を正確に判断することができ、記録媒体の無駄を減らす事が出来る。
【００９１】
前記実施例では、「ラベル」に記録する「ラベルプリンタ」を、例として説明したが、記録媒体の形態に限定されるものではなく（カット紙等）、また、記録媒体の材質は紙に限定されるものではなく（プラスチックカード等）、非接触ＩＣはＲＦ−ＩＤに限定されるものでなく、ＲＦ−ＩＤリーダ／ライタは記録装置の入口側に限定されるものでなく（出口、記録装置内部等）、記録装置の記録方式はインクジェット方式に限定されるものではない（熱転写方式、シリアルスキャン方式等）。
【００９２】
【発明の効果】
以上説明したように、記録媒体に設けられた素子との通信結果により、記録媒体の状態を正確に判断できる記録装置を提供することができる。
【００９３】
【図面の簡単な説明】
【図１】第一の実施例におけるＲＦ−ＩＤライタ内蔵の記録装置の正面図と上断面図である。
【図２】ＲＦ−ＩＤ素子内蔵記録媒体の模式図である。
【図３】ＲＦ−ＩＤリーダ／ライタ内蔵の記録装置にホストコンピュータを接続した構成図である。
【図４】ＲＦ−ＩＤライタ内蔵の記録装置の電気回路ブロック図である。
【図５】第一の実施例における用紙有り検知とＲＦ−ＩＤ情報の書き込み処理を示す模式図である。
【図６】第一の実施例における用紙無し検知処理を示す模式図である。
【図７】第一の実施例における用紙ＪＡＭ検知処理を示す模式図である。
【図８】第一の実施例における用紙検知とＲＦ−ＩＤ情報の書き込み処理のフローチャートである。
【図９】第二の実施例におけるＲＦ−ＩＤライタ内蔵の記録装置の正面図と上断面図である。
【図１０】第二の実施例における用紙有り検知とＲＦ−ＩＤ情報の書き込み処理を示す模式図である。
【図１１】第二の実施例における用紙無し検知処理を示す模式図である。
【図１２】第二の実施例におけるＲＦ−ＩＤ通信異常検知処理を示す模式図である。
【図１３】第二の実施例における用紙ＪＡＭ検知処理を示す模式図である。
【図１４】第二の実施例における用紙検知とＲＦ−ＩＤ情報の書き込み処理のフローチャートである。
【符号の説明】
１００　記録装置
１０１　ＲＦ−ＩＤタグ
１０２　ラベル
１０３　記録媒体
１０４　先端検知センサ
１０５　記録部
１０６　ロール紙ホルダ
１０７　搬送部
１０８　記録ヘッド（ブラック）
１０９　記録ヘッド（シアン）
１１０　記録ヘッド（マジェンタ）
１１１　記録ヘッド（イエロー）
１１２　通信アンテナ
２０１　台紙
２０２　ＲＦ−ＩＤ素子
２０３　アンテナ
４００　ＣＰＵ（Ｃｅｎｔｒａｌ　Ｐｒｏｃｅｓｓｉｎｇ　Ｕｎｉｔ）
４０１　インタフェースコントローラ
４０２　プログラムＲＯＭ
４０３　イメージメモリ
４０４　ワークＲＡＭ
４０５　ＥＥＰＲＯＭ
４０６　ＲＦ−ＩＤリーダ／ライタ
４０７　入出力ポート（Ｉ／Ｏ）
４０８　駆動部
４０９　記録ヘッド制御回路
【図１】
2004082348.tif 000003
【図２】
2004082348.tif 000004
【図３】
2004082348.tif 000005
【図４】
2004082348.tif 000006
【図５】
2004082348.tif 000007
【図６】
2004082348.tif 000008
【図７】
2004082348.tif 000009
【図８】
2004082348.tif 000010
【図９】
2004082348.tif 000011
【図１０】
2004082348.tif 000012
【図１１】
2004082348.tif 000013
【図１２】
2004082348.tif 000014
【図１３】
2004082348.tif 000015
【図１４】
2004082348.tif 000016